(57)【要約】【課題】母乳の搾乳を衛生的かつ簡単に行える母乳搾乳補助具を提供する。【解決手段】母乳搾乳補助具１は、弾性材料であるシリコンゴム又は軟質プラスチック製からなる搾乳カップ体２により乳頭部分から乳房に掛けて略密着状に覆い、該搾乳カップ体２とともに乳房や乳頭部分を揉むことができるから、母乳がこぼれることがなく搾乳でき、使い勝手が向上する。また、直接手で乳房や乳頭部分を揉むことがないため、雑菌等が母乳に付着して哺乳ビン内に入ってしまう恐れがなく衛生的である。保持具２１は、取付け台座２２を哺乳ビン５の上端開口５ａに回動自在に嵌着して、ねじ部８にねじ込むキャップ６により締着して抜け外れ不能に取付ける。哺乳ビン５に取り付けた搾乳カップ体２の向きに応じて、取り付け台座２２を哺乳ビン５の上端開口５ａの外周で回動させ、搾乳及び哺乳ビンの保持に最適な位置に指掛けフック２３を移動させることができる。【選択図】　　　　図４
2004073469.tif 000002
【特許請求の範囲】
【請求項１】
少なくとも乳頭部分を略密着状に覆う弾性材料からなる搾乳カップ体と、該搾乳カップ体に形成した母乳の流出管部と、該流出管部の下端に哺乳ビンの上端開口への取り付け部を形成したことを特徴とする母乳搾乳補助具。
【請求項２】
前記哺乳ビンの上端開口の外周に回動自在に取付け可能な嵌着リングに指掛け部を形成した保持具を設けたことを特徴とする請求項１に記載の母乳搾乳補助具。
【発明の詳細な説明】
【０００１】
【発明の属する技術分野】
本発明は、母乳搾乳補助具に関するものである。
【０００２】
【従来の技術】
従来の母乳搾乳補助具は、漏斗形に形成した硬質プラスチック製の母乳受けにねじ込み式のキャップを一体成形したもので、該キャップを哺乳ビンの上端開口に取りつけて搾乳する。この場合、片方の手で哺乳ビンを保持するとともに、他方の手で乳房を揉むため、母乳受けを乳房からある程度離す必要がある。そして、乳頭に開く乳腺から出る母乳を母乳受けで受けて哺乳ビンに溜めるようにしていた。
【０００３】
【発明が解決しようとする課題】
しかしながら、乳頭に開く多数の乳腺の何れから母乳が出るのか分からないため、搾り出された母乳が漏斗状の母乳受けで正しく受けることができなくて、こぼれてしまう場合がある。また、直接手で乳頭を揉むため雑菌等が母乳に付着して哺乳ビン内に入ってしまう場合があり衛生上問題がある。
本発明は上記問題点を解決するためになされたもので、母乳の搾乳を衛生的かつ簡単に行える母乳搾乳補助具を提供することを目的とする。
【０００４】
【課題を解決するための手段】
上記目的を達成するための請求項１に記載の母乳搾乳補助具は、少なくとも乳頭部分を略密着状に覆う弾性材料からなる搾乳カップ体と、該搾乳カップ体に形成した母乳の流出管部と、該流出管部の下端に哺乳ビンの上端開口への取り付け部を形成したことを特徴とする。
【０００５】
請求項２に記載の母乳搾乳補助具は、請求項１に記載した構成において、前記哺乳ビンの上端開口の外周に回動自在に取付け可能な嵌着リングに指掛け部を形成した保持具を設けたことを特徴とする。
【０００６】
【発明の作用及び効果】
請求項１の母乳搾乳補助具によれば、母乳の流出管部の下端に設けた取り付け部を哺乳ビンに取りつけて、弾性材料からなる搾乳カップ体により少なくとも乳頭部分を略密着状に覆うとともに、搾乳カップ体とともに乳頭部分を揉んで搾乳する。流れ出た母乳は、搾乳カップ体の流出管部を流れて哺乳ビンに溜まる。弾性材料からなる搾乳カップ体により少なくとも乳頭部分を略密着状に覆い、該搾乳カップ体とともに乳頭部分や乳房を揉むことができるから、母乳がこぼれることがなく搾乳することができる。また、直接手で乳頭部分を揉むことがないため、雑菌等が母乳に付着して哺乳ビン内に入ってしまう恐れがなく衛生的である。
【０００７】
請求項２の母乳搾乳補助具によれば、哺乳ビンの上端開口の外周に回動自在に取付け可能な嵌着リングに形成した指掛け部に、乳頭部分や乳房を揉む指以外の指を掛けて搾乳カップ体を保持できるから、片手のみならず両方の手を用いて搾乳できる。この場合、哺乳ビンに取り付けた搾乳カップ体の向きに応じて、嵌着リングを哺乳ビンの上端開口の外周で回動させ、搾乳及び哺乳ビンの保持に最適な位置に移動させることができ、使い勝手を向上できる。
【０００８】
【発明の実施の形態】
本発明の実施形態について添付図面を参照して説明する。図１は本発明に係る母乳搾乳補助具１の斜視図、図２は哺乳ビン５への取り付け状態を示した断面図である。搾乳カップ体２は、弾性材料であるシリコンゴム又は軟質プラスチック製からなり、乳頭部分から乳房に掛けて略密着状に覆うことができる漏斗形に形成されている。搾乳カップ体２の下端部に搾乳した母乳の流出管部３が一体成形されている。また、流出管部３の下端には、フランジ状の取付け台座４が一体成形されている。
【０００９】
図２に示すように母乳搾乳補助具１は、流出管部３を哺乳ビン５のキャップ６の中心孔７に通し、該キャップ６を哺乳ビン５の上端開口部５ａの外周に形成したねじ部８にねじ込んで開口６の上端面にフランジ状の取付け台座４を締着する。そして、搾乳カップ体２により乳頭部分から乳房に掛けて略密着状に覆うとともに、図２の矢印に示すように搾乳カップ体２とともに乳房や乳頭部分を揉んで搾乳する。搾乳した母乳は、搾乳カップ体２の流出管部３を流れて哺乳ビン５に溜まる。
【００１０】
上記構成及び作用の母乳搾乳補助具１は、弾性材料であるシリコンゴム又は軟質プラスチック製からなる搾乳カップ体２により乳頭部分から乳房に掛けて略密着状に覆い、該搾乳カップ体２とともに乳房や乳頭部分を揉むことができるから、母乳がこぼれることがなく搾乳でき、使い勝手が向上する。また、直接手で乳房や乳頭部分を揉むことがないため、雑菌等が母乳に付着して哺乳ビン内に入ってしまう恐れがなく衛生的である。さらに、母乳が手に付着したり空気中の雑菌等に殆ど曝すことなく搾乳できる。
【００１１】
上記搾乳カップ体２のフランジ状の取付け台座４に代えて、流出管部３の下端に直接キャップ６を取り付け、哺乳ビン５の上端開口５ａのねじ部８にねじ込むようにしてもよい。また、上記搾乳カップ体２は、乳頭部分から乳房に掛けて略密着状に覆うようにしたが、少なくとも乳頭部分を略密着状に覆うものであればよい。
【００１２】
図３は、母乳搾乳補助具１とともに用いる保持具２１の斜視図である。該保持具２１は、リング状の取り付け台座２２と指掛けフック２３とから構成されている。取付け台座２２は、哺乳ビン５の上端開口５ａに回動自在に嵌着して、ねじ部８にねじ込むキャップ６により締着して抜け外れ不能に取付ける（図４）。そして、乳頭部分や乳房を揉む指以外の指例えば小指を、指掛けフック２３に掛けて搾乳カップ体２を取付けた哺乳ビン５を保持する。
【００１３】
そして、搾乳カップ体２により乳頭部分から乳房に掛けて略密着状に覆い、該搾乳カップ体２とともに乳房や乳頭部分を揉んで搾乳する。従って、片手のみならず両手を用いて搾乳することができる。この場合、哺乳ビン５に取り付けた搾乳カップ体２の向きに応じて、取り付け台座２２を哺乳ビン５の上端開口５ａの外周で回動させ、搾乳及び哺乳ビンの保持に最適な位置に指掛けフック２３を移動させることができ、使い勝手が向上する。
【００１４】
尚、上記指掛けフック２３に代えて、指を挿入して掛止できる掛止環部を設けてもよい。
【図面の簡単な説明】
【図１】母乳搾乳補助具の斜視図である。
【図２】哺乳ビンへの取り付け状態を示した断面図である。
【図３】保持具の斜視図である。
【図４】保持具の使用状態を示した断面図である。
【符号の説明】
１．．．母乳搾乳補助具
２．．．搾乳カップ体
３．．．流出管部
４．．．取付け台座
５．．．哺乳ビン
６．．．キャップ
２１．．．保持具
２２．．．取付け台座
２３．．．指掛けフック
【図１】
2004073469.tif 000003
【図２】
2004073469.tif 000004
【図３】
2004073469.tif 000005
【図４】
2004073469.tif 000006